(57)【要約】【課題】導電性樹脂組成物と導電回路部の接触信頼性を損なうことなく、しかも基板の平滑性を低下させることなく薄い多層配線基板を得ることができる多層配線基板用基材を提供すること。【解決手段】貫通孔１４の導電層１３部分の口径Ｄｂをシード層１２の口径Ｄａより大きくし、貫通孔１４に充填された導電性樹脂組成物１５とシード層１２との接触面積を大きくし、シード層１２を介した導電性樹脂組成物１５と導電層１３との導通を良好にする。【選択図】　　　図１
2004128170.tif 000002
【特許請求の範囲】
【請求項１】
絶縁性基材の片面に金属下地層と導電層との２層が設けられ、前記絶縁性基材と前記金属下地層と前記導電層を連続貫通する貫通孔に層間導通を得るための導電性樹脂組成物を充填された多層配線基板用基材であって、
前記貫通孔の導電層部分の口径が金属下地層部分の口径より大きいことを特徴とする多層配線基板用基材。
【請求項２】
前記貫通孔の金属下地層部分の口径と前記絶縁性基材部分の口径とが同一であることを特徴とする請求項１記載の多層配線基板用基材。
【請求項３】
前記貫通孔に充填された前記導電性樹脂組成物の前記導電層側の面と当該導電層の外表面とが面一であることを特徴とする請求項１または２記載の多層配線基板用基材。
【請求項４】
前記絶縁性基材はポリイミドの可撓性樹脂フィルムであることを特徴とする請求項１〜３の何れか１項記載の多層配線基板用基材。
【請求項５】
前記絶縁性基材は熱可塑性ポリイミドにより構成されていることを特徴とする請求項１〜３の何れか１項記載の多層配線基板用基材。
【請求項６】
前記導電層は銅めっき膜により構成され、前記金属下地層がＣｒ、Ｎｉ、Ｔｉ、Ｍｏ、Ｗから選択された１種類または２種類以上の金属からなる薄膜と銅薄膜の２層構造のシード層であることを特徴とする請求項１〜５の何れか１項記載の多層配線基板用基材。
【請求項７】
請求項１〜６の何れか１項記載の多層配線基板用基材を複数枚、重ねて接合してなることを特徴とする多層配線基板。
【請求項８】
絶縁性基材の片面に金属下地層と導電層とが設けられた出発材料に、導電層部分の口径が金属下地層部分と絶縁性基材部分の口径より大きい貫通孔を穿孔する穿孔工程と、
導電性樹脂組成物を前記貫通孔に充填する充填工程と、
を有することを特徴とする多層配線基板用基材の製造方法。
【請求項９】
前記穿孔工程は、エッチングによって前記導電層に口径が大きい穴あけを行う工程と、その後に前記金属下地層および前記絶縁性基材にレーザ加工、機械加工によって口径が小さい穴あけを行う工程とを含んでいることを特徴とする請求項８記載の多層配線基板用基材の製造方法。
【請求項１０】
前記穿孔工程は、前記導電層と前記金属下地層と前記絶縁性基材にレーザ加工、機械加工によって口径が小さい穴あけを行う工程と、その後にエッチングによって前記導電層に口径が大きい穴あけを行う工程とを含んでいることを特徴とする請求項８記載の多層配線基板用基材の製造方法。
【請求項１１】
前記穿孔工程は、前記導電層を構成する金属のエッチングレートに比して前記金属下地層を構成する金属のエッチングレートが小さいエッチャントを用いて前記導電層と前記金属下地層に穴あけを行う工程と、前記絶縁性基材にレーザ加工、機械加工によって口径が小さい穴あけを行う工程とを含んでいることを特徴とする請求項８記載の多層配線基板用基材の製造方法。
【請求項１２】
前記充填工程は、前記導電性樹脂組成物の前記導電層側の面が前記導電層の外表面とが面一になるよう、導電性樹脂組成物を前記貫通孔に穴埋め充填する工程を含んでいることを特徴とする請求項８〜１１の何れか１項記載の多層配線基板用基材の製造方法。
【請求項１３】
前記充填工程は、導電性樹脂組成物を前記導電層の側より前記貫通孔に穴埋め充填する工程を含んでいることを特徴とする請求項８〜１２の何れか１項記載の多層配線基板用基材の製造方法。
【発明の詳細な説明】
【０００１】
【発明の属する技術分野】
この発明は、電子部品を実装するための多層配線基板（多層プリント配線板）や多層パッケージ基板、多層配線基板用基材およびその製造方法に関し、特に、フリップチップ実装などの高密度実装が可能な多層のフレキシブルプリント配線板等の多層配線基板、多層配線基板用基材およびその製造方法に関するものである。
【０００２】
【従来の技術】
多層配線基板の層間導通を、バイアホールの壁面めっきによって取るものが従来より知られている。めっきによるバイアホールの場合、めっき工程により、バイアホールの形成にかかる時間が長く、生産性が悪いと云う問題点がある。
【０００３】
このことに対処して、バイアホールに導電性樹脂組成物（樹脂系の導電性ペースト）を充填し、導電性樹脂組成物によって多層配線基板の層間導通を取る多層プログラム配線板が提案されている（例えば、特許文献１参照）。
【０００４】
また、ポリイミドフィルムを絶縁層としてそれの片面に銅箔による導電層を貼り付けられている汎用の銅張り樹脂基材を出発材料として、簡便な工程によりＩＶＨ構造の多層ＦＰＣを得る構造と製法が本願出願人と同一の出願人による特願２００１−８５２２４号で提案されている。
【０００５】
特願２００１−８５２２４号で提案されている多層配線基板用基材では、絶縁層の一方の面に銅箔を設けた銅張り樹脂基材に貫通孔を穴あけした後、導電性樹脂組成物（樹脂系の導電性ペースト）を銅箔側からスクリーン印刷法等による印刷法によって充填することで、図６に示されているようなＩＶＨ（Ｉｎｔｅｒｓｔｉｔｉａｌ　Ｖｉａ　Ｈｏｌｅ）部分を形成している。なお、図６において、１０１はポリイミドフィルム等による絶縁層を、１０２は銅箔部を、１０４は貫通孔を、１０５は貫通孔１０４に充填された導電性樹脂組成物を各々示している。
【０００６】
そして、スクリーン印刷時のマスク（ステンシル）の開口部の口径をＩＶＨ径より大きくすることにより、印刷時の位置合わせ精度にある程度の余裕ができると共に、銅箔部１０２上に導電性樹脂組成物１０５によってマスク開口部口径相当の大きさのヘッド状部１０５Ａが形成され、貫通孔１０４に充填された導電性樹脂組成物１０５と銅箔部１０２との接触面積を大きくすることができる。また、ヘッド状部１０５Ａの存在により、貫通孔１０４に充填された導電性樹脂組成物１０５が貫通孔１０４より抜け落ちることを防止できる。
【０００７】
【特許文献１】
特開平６−３０２９５７号公報
【０００８】
【発明が解決しようとする課題】
また、多層配線基板用基材を重ね合わせる多層基板において、層間の導通接続をするため、１枚の基板内に存在する数百ものバイアホールに、アライメント精度よく導電性樹脂組成物を充填する必要がある。また、充填された導電性樹脂組成物は、層全体の平滑性や厚さを考慮した際に、均一に、かつ薄く形成されることが望ましい。これは、何層かを積層する上で、より高密度に数多くの層を積層するために、それぞれの層を薄くすることが必要なためである。
【０００９】
しかしながら、特願２００１−８５２２４号で提案されている多層配線基板用基材では、導電性樹脂組成物１０５の銅箔部１０２より上の部分、すなわちヘッド状部１０５Ａの厚さのため、導電性樹脂組成物１０５の硬化後に多層化のための積層接着を行う場合には、銅箔による回路部の厚さに、導電性樹脂組成物１０５の銅箔より上部（ヘッド状部１０５Ａ）の厚さを加えた厚さを埋め込むのに十分な接着層の厚さが必要となり、接着層を厚くしないと、多層配線基板の表面平滑性の低下を招くことになる。
【００１０】
このため、ポリイミドフィルムを絶縁層としてそれの片面に銅箔による導電層を貼り付けられている汎用の銅張り樹脂基材では、絶縁層の厚さが１５〜３０μｍ、銅箔の厚さが５〜２０μｍ程度であることに対して、１５〜３０μｍ程度の厚さを有する接着層が必要になり、接着層の厚膜化に伴う基板の厚膜化を招くことになる。
【００１１】
この発明は、上述の如き課題に鑑みてなされたものであり、多層配線基板の各層の回路間の層間接触抵抗が低く、層間導通の信頼性に優れ、しかも基板の平滑性を低下させることなく薄い多層配線基板を得ることができる多層配線基板用基材およびその製造方法および多層配線基板を提供することを目的としている。
【００１２】
【課題を解決するための手段】
上述の目的を達成するために、この発明による多層配線基板用基材は、絶縁性基材の片面に金属下地層と導電層との２層が設けられ、前記絶縁性基材と前記金属下地層と前記導電層を連続貫通する貫通孔に層間導通を得るための導電性樹脂組成物を充填された多層配線基板用基材であって、前記貫通孔の導電層部分の口径が金属下地層部分の口径より大きい。
【００１３】
この多層配線基板用基材によれば、貫通孔の金属下地層部分と導電層部分との口径差から、貫通孔に充填された導電性樹脂組成物と金属下地層との接触面積が多くなり、金属下地層を介した導電性樹脂組成物と導電層との導通接触が良好になる。
また、この多層配線基板用基材によれば、導電性樹脂組成物と導電層との導通が金属下地層を介して行われているから、導電性樹脂組成物の導電層側の面と導電層の外表面とを面一にすることができ、導電性樹脂組成物が導電層の上方に出る拡張部分を設ける必要がなくなり、導電性樹脂組成物と導電層とからなる導通パターン表面を平滑に形成することが可能になる。
【００１４】
この多層配線基板用基材では、前記貫通孔の金属下地層部分の口径と前記絶縁性基部分の口径とは同一であってよい。また、前記貫通孔に充填された前記導電性樹脂組成物の前記導電層側の面は導電層の外表面と面一であり、導電性樹脂組成物の導電層の外表面より外方に突出していない。
【００１５】
この発明による多層配線基板用基材では、絶縁性基材をポリイミド等の可撓性樹脂フィルムにより構成し、可撓性樹脂フィルムの一方の面に、金属下地層、銅めっき膜による導電層を形成されている銅張樹脂基材を出発材料とする。また、絶縁性基材は熱可塑性ポリイミドにより構成し、絶縁性基材を層間接着層とする。また、導電層を銅めっき膜により構成する場合、金属下地層は、銅めっき膜を成長させるためのＣｒ、Ｎｉ、Ｔｉ、Ｍｏ、Ｗから選択された１種類または２種類以上の金属からなる薄膜と銅薄膜の２層構造のシード層であってよい。
【００１６】
この発明による多層配線基板用基材は、上述の発明による多層配線基板用基材を複数枚、重ねて接合したものである。
【００１７】
また、上述の目的を達成するために、この発明による多層配線基板用基材の製造方法は、絶縁性基材の片面に金属下地層と導電層との２層が設けられた出発材料に、導電層部分の口径が金属下地層部分と絶縁性基材部分の口径より大きい貫通孔を穿孔する穿孔工程と、導電性樹脂組成物を前記貫通孔に充填する充填工程とを有する。
【００１８】
この発明による多層配線基板用基材の製造方法における好ましい穿孔工程として、まず、エッチングによって前記導電層に口径が大きい穴あけを行い、その後に前記金属下地層および前記絶縁性基材にレーザ加工、機械加工によって口径が小さい穴あけを行うか、前記導電層と前記金属下地層と前記絶縁性基材にレーザ加工、機械加工によって口径が小さい穴あけを行い、その後にエッチングによって前記導電層に口径が大きい穴あけを行うか、前記導電層を構成する金属のエッチングレートに比して前記金属下地層を構成する金属のエッチングレートが小さいエッチャントを用いて前記導電層と前記金属下地層に穴あけを行い、前記絶縁性基材にレーザ加工、機械加工によって口径が小さい穴あけを行うかの何れかを選択できる。
【００１９】
この発明による多層配線基板用基材の製造方法における充填工程では、前記導電性樹脂組成物の前記導電層側の面が前記導電層の外表面とが面一になるよう、導電性樹脂組成物を前記貫通孔に穴埋め充填する。また、この充填工程は、導電性樹脂組成物を前記導電層の側より前記貫通孔に穴埋め充填する工程とする。
【００２０】
【発明の実施の形態】
以下に添付の図を参照してこの発明の実施形態を説明する。
図１はこの発明による一実施形態に係わる多層配線基板用基材の基本構成を示している。
【００２１】
図１に示されている多層配線基板用基材１０は、絶縁性基材として、全芳香族ポリイミド（ＡＰＩ）や接着性を有する熱可塑性ポリイミド（ＴＰＩ）等の可撓性樹脂フィルムによる絶縁樹脂層（ベースフィルム）１１を有しており、絶縁樹脂層１１の一方の面には、銅めっき膜成長のための金属下地層として、Ｃｒ、Ｎｉ、Ｔｉ、Ｍｏ、Ｗから選択された１種類または２種類以上の金属からなる薄膜１２ａと銅薄膜１２ｂによる２層構造のシード層（金属下地層）１２が高周波スパッタリング等によって形成され、このシード層１２上に銅めっき膜による導電層１３が形成されている。
【００２２】
絶縁樹脂層１１とシード層１２と導電層１３には、これらを連続貫通してＩＶＨを構成するための貫通孔１４が穿設されている。貫通孔１４には導電性樹脂組成物１５が充填されている。
【００２３】
貫通孔１４のうち、絶縁樹脂層１１とシード層１２を貫通する部分（小径孔）１４Ａの口径Ｄａは通常のバイアホール径とされ、導電層１３を貫通する部分（大径孔）１４Ｂの口径Ｄｂは、絶縁樹脂層１１とシード層１２を貫通する部分１４Ａの口径Ｄａより大径になっている。
【００２４】
導電性樹脂組成物１５は、銀粉等、導電機能を有する金属粉末を樹脂バインダに混入したものを、溶剤を含む粘性媒体に混ぜてペースト状にした導電性ペーストであり、導電層１３の側よりスクイジングによる印刷法やディスペンス法等によって貫通孔１４の孔内全体に、つまり小径孔１４Ａと大径孔１４Ｂの全体に、満遍なく穴埋め充填されている。
【００２５】
導電性樹脂組成物１５の穴埋め充填が、大きい口径Ｄｂの側から行われることにより、この穴埋め充填が容易に行われ、穴埋め充填時の孔内の空気抜きが良好に行われ、気泡の残存が少ない安定した充填状態が得られる。
【００２６】
導電性樹脂組成物１５の穴埋め充填は、充填量の制御により、硬化後において、導電性樹脂組成物１５の導電層１３側の面１５Ａと導電層１３の外表面１３Ａとが同じ高さ位置の面、すなわち、面一となるように行われる。
【００２７】
上述の構成による多層配線基板用基材１０によれば、貫通孔１４のシード層１２部分と導電層１３部分との口径差Ｄｂ−Ｄａから、シード層１２に大きい孔内露出面１２Ａができ、この孔内露出面１２Ａによって貫通孔１４に充填された導電性樹脂組成物１５とシード層１２との接触面積が多くなり、シード層１２を介した導電性樹脂組成物１５と導電層１３との接触抵抗が下がり、両者の導通が良好になる。
【００２８】
この発明による多層配線基板は、図２に例示されているように上述の構成による多層配線基板用基材１０を、例えば、１層目、２層目として２枚重ね合わせ、これを互いに接着接合してなる。
【００２９】
この多層配線基板では、各多層配線基板用基材１０において、導電性樹脂組成物１５と導電層１３との導通がシード層１２を介して良好に行われているので、多層回路の層間接触抵抗が低くなり、回路全体の伝送特性が向上する。
【００３０】
また、導電性樹脂組成物１５と導電層１３との導通がシード層１２を介して行われているから、導電性樹脂組成物１５の導電層１３側の面１５Ａと導電層１３の外表面１３Ａとを面一にすることができ、導電性樹脂組成物１５が導電層１２の上方に出る拡張部分を設ける必要がなくなり、導電性樹脂組成物１５と導電層１３とからなる導通パターン表面を平滑に形成することが可能になる。
【００３１】
このことにより、導通パターン表面に電子部品を実装し易くなり、併せて、図２に示されているように、複数枚の多層配線基板用基材１０を重ねて接合してなる多層配線基板の厚さを減らすことができる。
【００３２】
つぎに、図１に示されている多層配線基板用基材の製造方法の実施形態１を図３を参照して説明する。
【００３３】
図３（ａ）に示されているように、絶縁樹脂層１１の一方の面に、銅めっき膜成長のための金属下地層として、Ｃｒ、Ｎｉ、Ｔｉ、Ｍｏ、Ｗから選択された１種類または２種類以上の金属からなる薄膜と銅薄膜による２層構造のシード層１２が成膜され、このシード層１２上に銅めっき膜による導電層１３が形成されたものを出発材料とし、導電層１３をエッチング法により所望のパターンに形成する。
【００３４】
すなわち、図３（ｂ）に示されているように、導電層１３上に感光性レジスト２１をラミネートしてバイアホール部分を除くパターンに形成する。その後、ケミカルエッチングによって導電層１３のバイアホール部分の除去を行う。すなわち、エッチングによって導電層１３に口径が大きい穴あけを行い、導電層１３に口径Ｄｂの大径孔１４Ｂを形成する。この穴あけでは、シード層１２の薄膜１２ａは除去しない。
【００３５】
つぎに、図８（ｄ）に示されているように、感光性レジスト２１を除去し、導電層１３の反対の面にマスキングテープ２２を貼付ける。
【００３６】
つぎに、図３（ｅ）に示されているように、レザービーム照射によるレーザ加工あるいはドリルを用いた機械加工によってシード層１２の薄膜１２ａおよび絶縁樹脂層１１およびマスキングテープ２２に口径が小さい穴あけを一括して行い、シード層１２と絶縁樹脂層１１とマスキングテープ２２とに口径Ｄａの小径孔１４Ａを形成する。これにより、層間接続のために導電性樹脂組成物１５を充填されるバイアホール（貫通孔１４）が完成する。
【００３７】
その後、図３（ｆ）に示されているように、導電性樹脂組成物１５を、印刷法あるいはディスペンス法により、充填量を制御して、大径孔１４Ｂの側から貫通孔１４内に穴埋め充填する。導電性樹脂組成物１５としては、銀ペーストや、銅フィラーやカーボン混合物による導電性ペーストを使用することが可能である。
【００３８】
この導電性樹脂組成物１５の穴埋め充填では、導電性樹脂組成物１５の充填量を制御することにより、硬化後において、導電性樹脂組成物１５の導電層１３側の面１５Ａと導電層１３の外表面１３Ａとが同じ高さ位置の面、すなわち、面一となるように行われる。これにより、バイアホールの表面が平滑化され、表層へのめっきの被着や部品実装を可能とする。
【００３９】
また、導電性樹脂組成物１５の穴埋め充填が、大きい口径Ｄｂの側から行われることにより、この穴埋め充填が容易に行われ、穴埋め充填時の孔内の空気抜きが良好に行われ、気泡の残存が少ない安定した充填状態が得られる。
【００４０】
最後に、図３（ｇ）に示されているように、マスキングテープ２２の除去を行い、多層配線基板用基材１０を完成する。このように製作された多層配線基板用基材１０を何層かに積み重ねることによって、多層プリント基板が構成される。
【００４１】
つぎに、図１に示されている多層配線基板用基材の製造方法の実施形態２を図４を参照して説明する。
【００４２】
図４（ａ）に示されているように、絶縁樹脂層１１の一方の面に、銅めっき膜成長のための金属下地層として、Ｃｒ、Ｎｉ、Ｔｉ、Ｍｏ、Ｗから選択された１種類または２種類以上の金属からなる薄膜と銅薄膜による２層構造のシード層１２が成膜され、このシード層１２上に銅めっき膜による導電層１３が形成されたものを出発材料とし、導電層１３をエッチング法により所望のパターンに形成する。
【００４３】
つぎに、図４（ｂ）に示されているように、出発材料の導電層１３とは反対の面にマスキングテープ２２を貼付ける。その後、図４（ｃ）に示されているように、レザービーム照射によるレーザ加工あるいはドリルを用いた機械加工によって導電層１３とシード層１２と絶縁樹脂層１１とマスキングテープ２２とに、口径が小さい穴あけを一括して行い、導電層１３とシード層１２と絶縁樹脂層１１とマスキングテープ２２とに口径Ｄａの小径孔１４Ａを貫通形成する。
【００４４】
つぎに、図４（ｄ）に示されているように、導電層１３上に感光性レジスト２１をラミネートしてバイアホール部分を除くパターンに形成する。その後、ケミカルエッチングによって導電層１３のバイアホール部分の除去を行う。すなわち、エッチングによって導電層１３に口径が大きい穴あけを行い、導電層１３に口径Ｄｂの大径孔１４Ｂを形成する。これにより、層間接続のために導電性樹脂組成物１５を充填されるバイアホール（貫通孔１４）が完成する。
【００４５】
その後、図４（ｅ）および図４（ｆ）に示されているように、感光性レジスト２１を除去し、導電性樹脂組成物１５を、印刷法あるいはディスペンス法により、充填量を制御して、大径孔１４Ｂの側から貫通孔１４内に穴埋め充填する。
【００４６】
この導電性樹脂組成物１５の穴埋め充填でも、導電性樹脂組成物１５の充填量を制御することにより、硬化後において、導電性樹脂組成物１５の導電層１３側の面１５Ａと導電層１３の外表面１３Ａとが同じ高さ位置の面、すなわち、面一となるように行われる。これにより、バイアホールの表面が平滑化され、表層へのめっきの被着や部品実装を可能とする。
【００４７】
また、導電性樹脂組成物１５の穴埋め充填が、大きい口径Ｄｂの側から行われることにより、この穴埋め充填が容易に行われ、穴埋め充填時の孔内の空気抜きが良好に行われ、気泡の残存が少ない安定した充填状態が得られる。
【００４８】
最後に、図４（ｇ）に示されているように、マスキングテープ２２の除去を行い、多層配線基板用基材１０を完成する。このように製作された多層配線基板用基材１０を何層かに積み重ねることによって、多層プリント基板が構成される。
【００４９】
つぎに、多層配線基板用基材の製造方法の実施形態３を図５を参照して説明する。
【００５０】
図５（ａ）に示されているように、絶縁樹脂層１１の一方の面に、銅めっき膜成長のための金属下地層として、Ｃｒ、Ｎｉ、Ｔｉ、Ｍｏ、Ｗから選択された１種類または２種類以上の金属からなる薄膜と銅薄膜による２層構造のシード層１２が成膜され、このシード層１２上に銅めっき膜による導電層１３が形成されたものを出発材料とし、導電層１３をエッチング法により所望のパターンに形成する。
【００５１】
すなわち、図５（ｂ）に示されているように、導電層１３上に感光性レジスト２１をラミネートしてバイアホール部分を除くパターンに形成する。その後、塩化第２銅溶液など、導電層１３をシード層１２より速くエッチングできるエッチャント、つまり、導電層１３を構成する金属（銅）のエッチングレートに比してシード層１２を構成する金属のエッチングレートが小さいエッチャントを用いて導電層１３とシード層１２のバイアホール部分の除去を行う。
【００５２】
このエッチングでは、シード層１２のエッチングレートが導電層１３のエッチングレートより遅いため、図５（ｃ）に示されているように、導電層１３には比較的大きい口径の大径孔１４Ｂが形成され、シード層１２には比較的小さい口径の小径孔１４Ａが形成される。
【００５３】
つぎに、図５（ｄ）に示されているように、感光性レジスト２１を除去し、導電層１３の反対の面にマスキングテープ２２を貼付ける。
【００５４】
つぎに、図５（ｅ）に示されているように、残留しているシード層１２をメタルマスクとして利用し、波長の長いレザービーム照射によるレーザ加工によって絶縁樹脂層１１に口径が小さい穴あけを行い、絶縁樹脂層１１にも小径孔１４Ａを形成する。これにより、層間接続のために導電性樹脂組成物１５を充填されるバイアホール（貫通孔１４）が完成する。
【００５５】
その後、図５（ｆ）に示されているように、導電性樹脂組成物１５を、印刷法あるいはディスペンス法により、充填量を制御して、大径孔１４Ｂの側から貫通孔１４内に穴埋め充填する。
【００５６】
この導電性樹脂組成物１５の穴埋め充填でも、導電性樹脂組成物１５の充填量を制御することにより、硬化後において、導電性樹脂組成物１５の導電層１３側の面１５Ａと導電層１３の外表面１３Ａとが同じ高さ位置の面、すなわち、面一となるように行われる。これにより、バイアホールの表面が平滑化され、表層へのめっきの被着や部品実装を可能とする。
【００５７】
また、導電性樹脂組成物１５の穴埋め充填が、大きい口径Ｄｂの側から行われることにより、この穴埋め充填が容易に行われ、穴埋め充填時の孔内の空気抜きが良好に行われ、気泡の残存が少ない安定した充填状態が得られる。
【００５８】
最後に、図５（ｇ）に示されているように、マスキングテープ２２の除去を行い、多層配線基板用基材１０を完成する。このように製作された多層配線基板用基材１０を何層かに積み重ねることによって、多層プリント基板が構成される。
【００５９】
なお、この発明による多層配線基板、多層配線基板用基材およびその製造方法は、ポリイミドフィルムを使用したフレキシブルプリント配線板に限られることはなく、ポリエステルフィルム使用したフレキシブルプリント配線板、エボキシ樹脂や、ガラス布、アラミド不織布等によるプリプレグ材を絶縁材を使用したリジッドタイプのものにも同様に適用することができる。
なお、上記２層構造のシード層１２は、上記材料に限定されず、例えば上層にニッケル薄膜、下層にクロム薄膜の２重構造とすることもできる。また、上記実施形態では、絶縁性基材としてポリイミドの可撓性樹脂フィルムとしたがこれに限定されず、ポリイミドと接着剤の２層構造としても良い。
【００６０】
以上に於ては、この発明を特定の実施の形態について詳細に説明したが、この発明は、これに限定されるものではなく、この発明に係わる技術的思想の範囲内にて種々の実施の形態が可能であることは当業者にとって明らかであろう。
【００６１】
【発明の効果】
以上の説明から理解される如く、この発明による多層配線基板、多層配線基板用基材およびその製造方法によれば、貫通孔の金属下地層（シード層）部分と導電層部分との口径差から、貫通孔に充填された導電性樹脂組成物と金属下地層との接触面積が多くなり、金属下地層を介した導電性樹脂組成物と導電層との導通が良好になるから、導電性樹脂組成物と導電回路部との接触信頼性を損なうことなく、しかも基板の平滑性を低下させることなく、薄い多層配線基板を得ることができる。
【図面の簡単な説明】
【図１】この発明の一実施形態に係わる多層配線基板用基材の一つの基本構成を示す断面図である。
【図２】この発明の一実施形態に係わる多層配線基板を示す断面図である。
【図３】（ａ）〜（ｇ）はこの発明の一実施形態に係わる多層配線基板用基材の製造方法の実施形態１を示す工程図である。
【図４】（ａ）〜（ｇ）はこの発明の一実施形態に係わる多層配線基板用基材の製造方法の実施形態２を示す工程図である。
【図５】（ａ）〜（ｇ）はこの発明の一実施形態に係わる多層配線基板用基材の製造方法の実施形態３を示す工程図である。
【図６】従来の多層配線基板用基材のＩＶＨ構造を示す断面図である。
【符号の説明】
１０　基材
１１　絶縁樹脂層
１２　シード層
１３　導電層
１４　貫通孔
１５　導電性樹脂組成物
【図１】
2004128170.tif 000003
【図２】
2004128170.tif 000004
【図３】
2004128170.tif 000005
【図４】
2004128170.tif 000006
【図５】
2004128170.tif 000007
【図６】
2004128170.tif 000008